(57)【要約】【課題】  ポイントカードによって時宜に適った集客情報を顧客に伝達し得るようにするとともに、次回来店への動機付けを行い得るようにしたポイントカードシステムを提供する。【解決手段】  可視情報が書き換え可能に表示される情報表示領域２を備えたポイントカード１を用いるポイントカードシステムにあって、中央制御装置ＣＰＵが、データ入力装置７から入力されたポイント取得情報に基づいてポイントの積算値を算出するとともに、データ記憶装置８の記憶領域毎に記憶されている集客情報の中から所定の記憶領域の集客情報を予め定められた選定手段により読み出し、その読み出した集客情報１１と前記積算値１０とを含む可視情報を、リーダライタ５ａ，５ｂを介してポイントカード１の情報表示領域２に表示する制御内容を備えてなるものとした。【選択図】  図１
2005169762.tif 000002
【特許請求の範囲】
【請求項１】
ポイント取得情報に基づいて算出されるポイントの積算値を含む可視情報が書き換え可能に表示される情報表示領域と、顧客番号等の顧客データが記録されるデータ記録部とを備えたポイントカードと、
少なくとも前記ポイントカードのデータ記録部から顧客データを読み取り、かつ情報表示領域に対する可視情報の書き換えを行うリーダライタと、
データ入力装置と、
予め表示内容が定められた集客情報及びその他の所要データを記憶領域毎に記憶し、かつその読み出しが可能なデータ記憶装置を備え、リーダライタを制御する中央制御装置ＣＰＵとを備えてなり、
前記中央制御装置ＣＰＵは、データ入力装置から入力されたポイント取得情報に基づいてポイントの積算値を算出するとともに、データ記憶装置の記憶領域毎に記憶されている集客情報の中から所定の記憶領域の集客情報を予め定められた選定手段により読み出し、その読み出した集客情報と前記積算値とを含む可視情報を、リーダライタを介してポイントカードの情報表示領域に表示する制御内容を備えていることを特徴とするポイントカードシステム。
【請求項２】
集客情報が、ポイントカード運用店が近い将来行う特別セール，サービス等のイベントに関する図柄イメージとメッセージであることを特徴とする請求項１記載のポイントカードシステム。
【請求項３】
集客情報が、顧客の個別情報に基づいて供与されるボーナスポイントや景品等の付与利益に関する図柄イメージとメッセージであることを特徴とする請求項１記載のポイントカードシステム。
【請求項４】
顧客の個別情報が、ポイント取得情報に基づいて算出されるポイントの積算値と、顧客の誕生日等の特別日であり、積算値が予め定められた特定値に到達した場合に供与されるボーナスポイントに関する図柄イメージ及びメッセージと、顧客の誕生日等の特別日に供与されるボーナスポイントに関する図柄イメージ及びメッセージと、イベントに関する図柄イメージ及びメッセージとが同時に読み出された場合に、中央制御装置ＣＰＵが、ボーナスポイントの供与に関する図柄イメージ及びメッセージの中で最も供与ポイント数が多いものを優先的に表示する制御内容を備えていることを特徴とする請求項１乃至請求項３の何れかに記載のポイントカードシステム。
【請求項５】
ポイントカードの情報表示領域に表示される可視情報が、最新の集客情報と、少なくとも前回表示した集客情報とを含むことを特徴とする請求項３又は請求項４記載のポイントカードシステム。
【発明の詳細な説明】
【技術分野】
【０００１】
本発明は、可視情報を書き換え可能に表示する情報表示領域を備えたポイントカードを用いるポイントカードシステムに関する。
【背景技術】
【０００２】
各種景品やサービス等の所定の特典を顧客に供与するために運用されるポイントカードシステムにあって、可逆的に繰返して書き換えできる情報表示領域を備えたポイントカードに、商品購入金額や来店回数等に基づいて算出されるポイントの積算値情報を、視認可能に表示するようにしたポイントカードシステムが知られている。
【０００３】
このようなポイントカードシステムに用いられるポイントカードの情報表示領域に、顧客が取得した最新のポイントの積算値を表示するとともに、特典供与が受けられる所定の目標値に対する現在のポイント積算値の到達度に関する情報を、数字，文字，図柄イメージを用いて表示するようにしたものがある（例えば、特許文献１参照）。
【０００４】
また、表示情報による顧客サービスの差別化を行い、以て、優良顧客に対するサービス向上を図るとともに、ポイントカードを通しての優良顧客作りあるいは集客力の向上を図ることを目的として、ポイントカードの情報表示領域に、一以上のポイント取得要素に基づいて算出されるポイントの積算程度を示す数字，文字，図柄イメージ等の表象からなる積算値表象と、ポイントの到達段階毎に格付けされた表象群の中から選定されて、予め定められた一以上の条件要素に基づいて算出される総条件値の到達段階を示す数字，文字，図柄イメージ等の表象からなる条件充足度表象とを表示するようにしたものが、本願出願人によって先に提案されている（特許文献２参照）。
【特許文献１】特開平９−１９８４７２号公報
【特許文献２】特開２０００−１８５４９０号公報
【発明の開示】
【発明が解決しようとする課題】
【０００５】
ところで、上記先行技術にあっては、情報表示領域に表示される数字，文字，図柄イメージ等からなる可視情報が、専ら取得ポイントの持つ意味を分かり易く示したり、店が重要視する条件要素、例えば来店回数や購入品目の充足度を示したりするものであり、店が近い将来行う特別セール，サービス等のイベントを好時期に予告する機能を具備するものではなかった。また、ポイントカードを通しての次回来店への動機付けが弱いものであった。
【０００６】
本発明は、かかる従来の実状に鑑みてその改善を試みたものであって、ポイントカードによって時宜に適った集客情報を顧客に伝達し得るようにするとともに、次回来店への動機付けを行い得るようにしたポイントカードシステムを提供することを目的とするものである。
【課題を解決するための手段】
【０００７】
本発明は、ポイント取得情報に基づいて算出されるポイントの積算値を含む可視情報が書き換え可能に表示される情報表示領域と、顧客番号等の顧客データが記録されるデータ記録部とを備えたポイントカードと、少なくとも前記ポイントカードのデータ記録部から顧客データを読み取り、かつ情報表示領域に対する可視情報の書き換えを行うリーダライタと、データ入力装置と、予め表示内容が定められた集客情報及びその他の所要データを記憶領域毎に記憶し、かつその読み出しが可能なデータ記憶装置を備え、リーダライタを制御する中央制御装置ＣＰＵとを備えてなり、前記中央制御装置ＣＰＵは、データ入力装置から入力されたポイント取得情報に基づいてポイントの積算値を算出するとともに、データ記憶装置の記憶領域毎に記憶されている集客情報の中から所定の記憶領域の集客情報を予め定められた選定手段により読み出し、その読み出した集客情報と前記積算値とを含む可視情報を、リーダライタを介してポイントカードの情報表示領域に表示する制御内容を備えていることを特徴とするポイントカードシステムである。
【０００８】
ここで、上記選定手段としては、起算日に加算される日数毎に指定された記憶領域から集客情報を読み出す制御内容や、ポイント取得情報に基づいて算出されるポイントの積算値が予め定められた特定値に到達する毎に、指定された記憶領域から集客情報を読み出す制御内容を含む所定の制御プログラムによって構成され得る。
【０００９】
上記集客情報とは、顧客に来店の動機付けを行い得る情報であって、該集客情報を、ポイントカード運用店が近い将来行う特別セール，サービス等のイベントに関する図柄イメージとメッセージとにより構成したものが提案される。
【００１０】
また、上記集客情報を、顧客の個別情報に基づいて供与されるボーナスポイントや景品等の付与利益に関する図柄イメージとメッセージとにより構成したものも提案される。
【００１１】
また、顧客の個別情報が、ポイント取得情報に基づいて算出されるポイントの積算値と、顧客の誕生日等の特別日であり、積算値が予め定められた特定値に到達した場合に供与されるボーナスポイントに関する図柄イメージ及びメッセージと、顧客の誕生日等の特別日に供与されるボーナスポイントに関する図柄イメージ及びメッセージと、イベントに関する図柄イメージ及びメッセージとが同時に読み出された場合に、中央制御装置ＣＰＵが、ボーナスポイントの供与に関する図柄イメージ及びメッセージの中で最も供与ポイント数が多いものを優先的に表示する制御内容を備えている構成が提案される。
【００１２】
さらに、ポイントカードの情報表示領域に表示される可視情報が、最新の集客情報と、少なくとも前回表示した集客情報とを含むものとする構成が提案される。
【発明の効果】
【００１３】
本発明は、上述したように、中央制御装置ＣＰＵが、データ入力装置から入力されたポイント取得情報に基づいてポイントの積算値を算出するとともに、データ記憶装置の記憶領域毎に記憶されている集客情報の中から予め定められた選定手段により所定の記憶領域の集客情報を読み出し、その読み出した集客情報と前記積算値とを含む可視情報を、リーダライタを介してポイントカードの情報表示領域に表示するので、ポイントカードによりポイントの積算値とともに、時宜に適った集客情報を顧客に伝達することができる。
【００１４】
そして、上記集客情報を、ポイントカード運用店が近い将来行う特別セール，サービス等のイベントに関する図柄イメージとメッセージとすることにより、イベントで提供される商品やサービスを図柄イメージによって直感的に伝達できるとともに、メッセージによってさらに詳しく伝達でき、これによって購買意欲を刺激して顧客意識を来店に駆り立てる動機付けを行うことができる。
【００１５】
また、上記集客情報を、顧客の個別情報に基づいて供与されるボーナスポイントや景品等の付与利益に関する図柄イメージとメッセージとした場合には、ポイントの積算値が特定値に到達した時や誕生日等に合わせて供与するボーナスポイントや景品等の付与利益の内容を図柄イメージとメッセージとによって分かり易く的確に伝達することができ、次回来店への動機付けがさらに強力なものとなる。
【００１６】
また、顧客の個別情報がポイント取得情報に基づいて算出されるポイントの積算値と、顧客の誕生日等の特別日であり、積算値が予め定められた特定値に到達した場合に供与されるボーナスポイントに関する図柄イメージ及びメッセージと、顧客の誕生日等の特別日に供与されるボーナスポイントに関する図柄イメージ及びメッセージと、イベントに関する図柄イメージ及びメッセージとが同時に読み出された場合に、中央制御装置ＣＰＵが、ボーナスポイントの供与に関する図柄イメージ及びメッセージの中で最も供与ポイント数が多いものを優先的に表示する制御内容を備えている構成とすることにより、複数の集客情報が読み出された場合に、顧客にとってより利益価値の高く、かつ店側にとってより次回来店への動機付けが強い集客情報を優先的に表示させることができる。
【００１７】
さらに、ポイントカードの情報表示領域に表示される可視情報が、最新の集客情報と、少なくとも前回表示した集客情報とを含むものとする構成にあっては、相互に関連する集客情報の図柄イメージとメッセージを時系列的に変化させて表示することにより、集客情報にストーリー性が生じ、表示内容に面白みを付与することができる。
【発明を実施するための最良の形態】
【００１８】
以下に、本発明の一実施例を、添付図面に基づいて説明する。
図１は、本発明にかかるポイントカードシステムで用いられるポイントカード１を示し、該ポイントカード１は、図１（イ）に示すように、可視情報が書き換え可能に表示される情報表示領域２を備えている。この情報表示領域２は、感熱記録方式，電気・熱記録方式，磁気記録方式等のリライトカードに用いられる公知の可逆表示素子層からなり、可視情報を可逆的に書き換え得るようになっている。また、ポイントカード１は、前記情報表示領域２が形成された面の裏面に、図１（ロ）に示すように、磁気記録帯からなるデータ記録部３を備えており、該データ記録部３には、顧客番号等の顧客データが記録される。尚、該データ記録部３は、前記情報表示領域２の形成面と同一面に設けることも可能であり、さらに該データ記録部３に、顧客番号とともに、後述するポイントの積算値，その書き換え日等の個別データを記録するようにしてもよい。
【００１９】
図２は、前記ポイントカード１を用いるポイントカードシステムの概略システム構成の一例を示し、このポイントカードシステムは、少なくとも前記ポイントカード１のデータ記録部３から顧客データを読み取り、かつ情報表示領域２に対する可視情報の書き換えを行う二種類のリーダライタ５ａ，５ｂと、レジスター機能を備えたＰＯＳ端末からなるデータ入力装置７と、演算処理に用いる制御プログラムを格納する記憶装置ＲＯＭと所要データの記憶及び読み出しが可能なデータ記憶装置（ＲＡＭ）８とを備えた中央制御装置ＣＰＵとによって構成されている。この中央制御装置ＣＰＵは、前記リーダライタ５ａ，５ｂを制御するとともに、システム全体の統括的な制御を処理実行するものである。尚、該中央制御装置ＣＰＵには、モニター，ＣＤドライブ等のデータ入出力装置，プリンターその他の周辺機器が必要に応じて接続される。
【００２０】
前記リーダライタ５ａは、データ入力装置７としてのＰＯＳ端末とともに店内の勘定場に設置されており、該リーダライタ５ａのカード挿入口にポイントカード１を挿入すると、データ記録部３に記録された顧客番号等の顧客データが読み取られ、中央制御装置ＣＰＵに入力される。また、データ入力装置７は、商品に付されたバーコードを読み取る光学読取り装置とキー入力装置を備えており、光学読取り装置によるバーコードの光学読取り入力によって商品の購入金額，購入品目等の購買情報が中央制御装置ＣＰＵに入力される。また、キー入力装置による手動入力によって顧客の氏名，生年月日，性別等の個人情報が中央制御装置ＣＰＵに入力される。
【００２１】
また、前記リーダライタ５ｂは、わざわざ来店したのに気に入った商品がなかった等の何らかの理由で、何も購入しなかった顧客にも特典を供与するサービスを行う場合に用いられるものであって、店の出入り口や店内の所定位置に設置されている。このリーダライタ５ｂのカード挿入口に顧客自身がポイントカード１を挿入すると、来店情報としての来店日時や来店曜日が自動的に中央制御装置ＣＰＵに入力される。
【００２２】
上記のようにリーダライタ５ａ，５ｂの何れかへのポイントカード１の挿入操作と、データ入力装置７の光学読取り装置による購買情報の入力操作とにより、顧客番号等の顧客データと、購買情報や来店情報が中央制御装置ＣＰＵに入力されると、所定のポイント取得情報に基づいて付与すべきポイントが算出される。ここで、ポイント取得情報は、購買情報としての商品の購入金額，購入品目や、来店情報としての来店日時や来店曜日，所定期間内の来店頻度等をポイント取得要素として、これらの中から予め定められた一以上のポイント取得要素と、顧客の個人情報としての誕生日や予め定められた特定値にポイントの積算値が到達する毎にボーナスポイントを供与するポイント取得要素と、後述する集客情報１１が所定の図柄イメージとメッセージとからなる集客情報１１である場合にボーナスポイントを供与するポイント取得要素とによって構成されている。
【００２３】
そして、付与すべきポイントが算出されると、これがデータ記憶装置（ＲＡＭ）８の顧客番号で指定された一部領域に記憶されている前積算値に加算されて新たな積算値となり、その積算値（合計ポイント）１０と後述する集客情報１１とが、ポイントカード１が挿入されているリーダライタ５ａ，５ｂの何れかによって、図１（イ）に示すように、ポイントカード１の情報表示領域２に書き込まれる。この時、情報表示領域２は、可逆表示素子層からなるため、前の積算値１０と集客情報１１が消去され、新たな積算値１０と集客情報１１に書き換えられることとなる。また、情報表示領域２には、その他の可視情報として、顧客番号（会員番号）１２，会員氏名１３，今回取得したポイント数１４，入会日１５，利用日１６等が合わせて書き込まれる。尚、上記の説明は使用中のポイントカード１の処理であるが、新規入会時には、データ記憶装置（ＲＡＭ）８の一部領域に新たな顧客番号で指定される個別情報格納用の記憶領域を新規に作成する処理が加えられる。
【００２４】
上記集客情報１１は、予め表示内容が定められた複数の図柄イメージ１７とメッセージ１８とからなり、個々の集客情報１１がデータ記憶装置（ＲＡＭ）８に設けた記憶領域毎に記憶されている。この集客情報１１は図柄イメージ１７とメッセージ１８の表示内容によって以下に述べるＡ〜Ｄの四グループに大別される。
【００２５】
Ａグループに属する集客情報１１は、図３（イ），（ロ）に示すように、ポイントカード運用店が近い将来行う特別セール，サービス等のイベントに関する図柄イメージ１７とメッセージ１８とにより構成されている。
【００２６】
Ｂグループ及びＣグループに属する集客情報１１は、顧客の個別情報に基づいて供与される付与利益に関し、Ｂグループの集客情報１１は、図４に示すように、ポイントの積算値が特定値に到達した場合に表示されるボーナスポイントの供与に関する図柄イメージ１７とメッセージ１８とにより構成されている。ここで、図４（イ）は、予め定められた９０ポイントの特定値にポイントの積算値が到達した場合に表示されるのボーナスポイントの供与を予告する図柄イメージ１７とメッセージ１８の一例を示すものであり、図４（ロ）は、その翌日以降の買い物時に表示されるボーナスポイントの供与完了を告知する図柄イメージ１７とメッセージ１８の一例を示すものである。また、図４（ハ）は、予め定められた１５０ポイントの特定値にポイントの積算値が到達した場合に表示されるボーナスポイントの供与を予告する図柄イメージ１７とメッセージ１８の一例を示すものであり、図４（ニ）は、その翌日以降の買い物時に表示されるボーナスポイントの供与完了を告知する図柄イメージ１７とメッセージ１８の一例を示すものである。
【００２７】
一方、Ｃグループの集客情報１１は、図５に示すように、顧客の誕生日等の特別日に合わせて表示されるボーナスポイントや景品等の付与利益の供与に関する図柄イメージ１７とメッセージ１８とにより構成されている。ここで、図５（イ）は、誕生日が近づくと例えば一週間前から表示されるボーナスポイントの供与を予告する図柄イメージ１７とメッセージ１８の一例を示すものであり、図５（ロ）は、その翌日以降の買い物時に表示されるボーナスポイントの供与完了を告知する図柄イメージ１７とメッセージ１８の一例を示すものである。尚、この例では、付与利益をボーナスポイントとしているが、これに代えて景品としてもよい。また、付与利益を供与する契機となる特別日は、誕生日以外に結婚記念日等の顧客にとっての特別な日とすることができ、また、高齢者に対しては敬老の日としてもよい。
【００２８】
Ｄグループの集客情報１１は、上述したＡ〜Ｃグループの集客情報１１の何れもが表示されない日に、当り図柄または外れ図柄として表示される図柄イメージ１７とメッセージ１８とにより構成されている。ここで、図６（イ）は、当り図柄である場合に表示されるボーナスポイントの供与を予告する図柄イメージ１７とメッセージ１８の一例を示すものであり、図６（ロ）は、その翌日以降の買い物時に表示されるボーナスポイントの供与完了を告知する図柄イメージ１７とメッセージ１８の一例を示すものである。図６（ハ）は、同じく当り図柄である場合に表示されるボーナスポイントの供与を予告する図柄イメージ１７とメッセージ１８の一例を示すものであり、図６（ニ）は、その翌日以降の買い物時に表示されるボーナスポイントの供与完了を告知する図柄イメージ１７とメッセージ１８の一例を示すものである。また、図７（イ），（ロ）は、外れ図柄である場合に表示される図柄イメージ１７とメッセージ１８の一例を示すものである。尚、この図７（イ），（ロ）に示す外れ図柄の図柄イメージ１７とメッセージ１８の表示内容は、顧客に来店の動機付けを直接的に行う内容ではないが、結果として表示された内容からではなく、当り図柄と外れ図柄とを含むＤグループの集客情報１１を表示する行為により、当り図柄が表示されるかもしれないという期待感を抱かせることができるという意味において、顧客に来店の動機付けを行い得る集客情報１１となり得る。
【００２９】
そして、このような各集客情報１１が、上述したようにデータ記憶装置（ＲＡＭ）８の記憶領域毎に記憶されており、各集客情報１１は、予め定められた選定手段によって所定の記憶領域から読み出され、その読み出された集客情報１１と前記積算値１０とを含む可視情報が、リーダライタ５ａ，５ｂの何れかを介してポイントカード１の情報表示領域２に表示される。
【００３０】
前記選定手段は、Ａグループ及びＤグループと、Ｃグループとに属する各集客情報１１を、起算日に加算される日数毎に指定された記憶領域から夫々読み出す制御内容を備えている。即ち、図８（イ）に示すように、起算日に一日ずつ加算される日数によって、Ａグループ及びＤグループに属する集客情報１１が読み出される記憶領域Ｒ1〜Ｒnが指定されており、例えば起算日を１月１日とすれば、１月２５日に表示する集客情報１１は、日数「２４」で指定された記憶領域Ｒ25から読み出されることとなる。また、Ｃグループに属する集客情報１１は、図８（ロ）に示すように、起算日に一日ずつ加算される日数によって指定された記憶領域Ｓ1〜Ｓnから読み出される。そして、各集客情報１１が記憶された記憶領域Ｒ1〜Ｒn及び記憶領域Ｓ1〜Ｓnを指定する日数は、中央制御装置ＣＰＵが具備するタイマー機能によって１日毎に更新される。また、選定手段は、Ｂグループに属する各集客情報１１を、予め定められた特定値で指定される記憶領域Ｋ1〜Ｋnから読み出す制御内容を備えており、例えばポイントの積算値が９０ポイントの特定値に到達すると、図８（ハ）に示すように、該特定値（９０ポイント）で指定される記憶領域Ｋ2から積算値が９０ポイントの特定値に到達した場合に表示する集客情報１１が読み出される。また、選定手段は、ポイントの供与を予告するＢグループ及びＣグループの各集客情報１１が読み出された場合と、Ｄグループに属する集客情報１１の中でポイントの供与を予告する集客情報１１が読み出された場合には、翌日以降の買い物時に、ポイントの供与を予告する前記各集客情報１１に夫々関係づけられた記憶領域Ｐ1〜Ｐn，Ｎ1〜Ｎn，Ｍ1〜Ｍnからポイントの供与完了を告知する集客情報１１を優先的に読み出す制御内容を備えている。さらに、選定手段は、イベントに関する図柄イメージ１７及びメッセージ１８と、ポイントの積算値が特定値に到達した場合に供与されるボーナスポイントに関する図柄イメージ１７及びメッセージ１８と、顧客の誕生日等の特別日に供与されるボーナスポイントとに関する図柄イメージ１７及びメッセージ１８とが同時に読み出された場合に、最も供与ポイント数が多い図柄イメージ１７及びメッセージ１８を優先的に表示する制御内容を備えている。
【００３１】
図９は、上記制御を行い得るフローチャートの一例を示し、このようなフローチャートに基づいて作成された制御プログラムによって、選定手段が構成されている。
【００３２】
尚、上記選定手段が備える制御内容において、Ａグループ及びＤグループと、Ｃグループとに属する各集客情報１１を読み出す制御内容を、起算日に加算される日数毎に指定された記憶領域から夫々読み出す制御内容としているが、これに代えて、予め表示時期を設定して各記憶領域毎に記憶された集客情報１１の中から表示時期が到来した集客情報１１を選定する制御内容とすることも可能である。
【００３３】
かかる構成にあって、上述したように、中央制御装置ＣＰＵが、データ入力装置７から入力されたポイント取得情報に基づいてポイントの積算値を算出するとともに、データ記憶装置（ＲＡＭ）８の記憶領域毎に記憶されている集客情報１１の中から所定の記憶領域の集客情報１１を予め定められた選定手段により読み出し、その読み出した集客情報１１と前記積算値１０とを含む可視情報を、リーダライタ５ａ，５ｂを介してポイントカード１の情報表示領域２に表示するので、ポイントカード１によりポイントの積算値１０とともに、時宜に適った集客情報１１を顧客に伝達することができる。
【００３４】
そして、上記集客情報１１を、ポイントカード運用店が近い将来行う特別セール，サービス等のイベントに関する図柄イメージ１７とメッセージ１８とすることにより、イベントで提供される商品やサービスを図柄イメージ１７によって直感的に伝達できるとともに、メッセージ１８によってさらに詳しく伝達でき、これによって購買意欲を刺激して顧客意識を来店に駆り立てる動機付けを行うことができる。
【００３５】
また、上記集客情報１１を、顧客の個別情報に基づいて供与されるボーナスポイントや景品等の付与利益に関する図柄イメージ１７とメッセージ１８とした場合には、ポイントの積算値が特定値に到達した時や誕生日等に合わせて供与するボーナスポイントや景品等の付与利益の内容を図柄イメージ１７とメッセージ１８とによって分かり易く的確に伝達することができ、次回来店への動機付けがさらに強力なものとなる。
【００３６】
また、顧客の個別情報がポイント取得情報に基づいて算出されるポイントの積算値と、顧客の誕生日等の特別日であり、積算値が予め定められた特定値に到達した場合に供与されるボーナスポイントに関する図柄イメージ１７及びメッセージ１８と、顧客の誕生日等の特別日に供与されるボーナスポイントに関する図柄イメージ１７及びメッセージ１８と、イベントに関する図柄イメージ１７及びメッセージ１８とが同時に読み出された場合に、中央制御装置ＣＰＵが、ボーナスポイントの供与に関する図柄イメージ１７及びメッセージ１８の中で最も供与ポイント数が多いものを優先的に表示する制御内容を備えている構成とすることにより、複数の集客情報１１が読み出された場合に、顧客にとってより利益価値の高く、かつ店側にとってより次回来店への動機付けが強い集客情報１１を優先的に表示させることができる。
【００３７】
図１０は、上記実施例の変形実施例を示し、ポイントカード１の情報表示領域２に、最新の集客情報１１と、前回表示した集客情報１１’とを含む可視情報を表示するようにしたものである。ここで、前回表示した集客情報１１’としては、ポイントの供与を予告する上述したＢグループ及びＣグループの各集客情報１１やＤグループに属する集客情報１１の中でポイントの供与を予告する集客情報１１が好適であり、また、最新の集客情報１１としては、翌日以降の買い物時にポイントの供与完了を告知する集客情報１１が好適である。このように、相互に関連する集客情報１１，１１’の各図柄イメージ１７とメッセージ１８を時系列的に変化させて表示することにより、集客情報１１，１１’にストーリー性が生じ、表示内容に面白みを付与することができる。尚、この変形実施例では、二つの集客情報１１，１１’を表示した例を示したが、相互に関連する集客情報１１を三つ以上表示することも可能である。
【図面の簡単な説明】
【００３８】
【図１】本発明にかかるポイントカードシステムに用いるポイントカード１を示し、（イ）は平面図、（ロ）はその裏面図である。
【図２】本発明にかかるポイントカードシステムの概略システム構成図である。
【図３】（イ），（ロ）はイベントに関する図柄イメージ１７とメッセージ１８とにより構成された集客情報１１の説明図である。
【図４】（イ），（ハ）は予め定められた特定値にポイントの積算値が到達した場合に表示されるボーナスポイントの供与を予告する図柄イメージ１７とメッセージ１８とにより構成された集客情報１１の説明図、（ロ），（ニ）は、翌日以降の買い物時に表示されるボーナスポイントの供与完了を告知する図柄イメージ１７とメッセージ１８とにより構成された集客情報１１の説明図である。
【図５】（イ）は誕生日が近づくと表示されるボーナスポイントの供与を予告する図柄イメージ１７とメッセージ１８とにより構成された集客情報１１の説明図、（ロ）は翌日以降の買い物時に表示されるボーナスポイントの供与完了を告知する図柄イメージ１７とメッセージ１８とにより構成された集客情報１１の説明図である。
【図６】（イ），（ハ）は当り図柄として表示されるボーナスポイントの供与を予告する図柄イメージ１７とメッセージ１８とにより構成された集客情報１１の説明図、（ロ），（ニ）は翌日以降の買い物時に表示されるボーナスポイントの供与完了を告知する図柄イメージ１７とメッセージ１８とにより構成された集客情報１１の説明図である。
【図７】（イ），（ロ）は外れ図柄として表示される図柄イメージ１７とメッセージ１８とにより構成された集客情報１１の説明図である。
【図８】（イ），（ロ）は集客情報１１を、起算日に加算される日数毎に指定された記憶領域から読み出す選定手段の制御内容を表す模式図、（ハ）は集客情報１１を、特定値で指定される記憶領域から読み出す選定手段の制御内容を表す模式図である。
【図９】選定手段を構成する制御プログラムのフローチャートである。
【図１０】変形実施例の表示形態を示すポイントカード１の平面図である。
【符号の説明】
【００３９】
１  ポイントカード
２  情報表示領域
３  データ記録部
５ａ，５ｂ  リーダライタ
７  データ入力装置
８  データ記憶装置（ＲＡＭ）
１０  積算値
１１，１１’  集客情報
１７  図柄イメージ
１８  メッセージ
【図１】
2005169762.tif 000003
【図２】
2005169762.tif 000004
【図３】
2005169762.tif 000005
【図４】
2005169762.tif 000006
【図５】
2005169762.tif 000007
【図６】
2005169762.tif 000008
【図７】
2005169762.tif 000009
【図８】
2005169762.tif 000010
【図９】
2005169762.tif 000011
【図１０】
2005169762.tif 000012